(57)【要約】【課題】簡易な構成で、身の回りにある電子機器に簡単にメディアを転送する。【解決手段】受信側携帯端末は、送信側携帯端末からメディアを受信し、本体をメディアを転送する転送機器に向ける動作に対応して、転送信号を送信する。転送機器は、受信側携帯端末から転送信号を受信したときに、受信通知をアプリケーションサーバに送信する。受信側携帯端末は、アプリケーションサーバからのメディア転送要求を受信したときに、メディアを転送する転送機器にメディアを配信する。そして、転送機器は、受信側携帯端末からメディアを受信し、受信したメディアを表示する。【選択図】図７
2012195915.tif 000002
【特許請求の範囲】
【請求項１】
送信側携帯端末と、受信側携帯端末と、転送機器と、メディアセッションの制御とメディアの転送先の切り替え管理を行うアプリケーションサーバとからなるメディア転送制御システムであって、
前記送信側携帯端末が、前記受信側携帯端末にメディアを配信する第１のメディア配信手段を備え、
前記受信側携帯端末が、
前記送信側携帯端末からメディアを受信する第１の受信手段と、
本体を該受信したメディアを転送する転送機器に向ける動作に対応して、転送信号を送信する転送信号送信手段と、
前記アプリケーションサーバからのメディア転送要求を受信するメディア転送要求受信手段と、
該メディア転送要求を受信したときに、前記メディアを転送する転送機器にメディアを配信する第２のメディア配信手段と、
前記転送機器が、
前記受信側携帯端末から転送信号を受信する転送信号受信手段と、
該転送信号を受信したときに、受信通知を前記アプリケーションサーバに送信する受信通知送信手段と、
前記受信側携帯端末からメディアを受信するメディア受信手段と、
該受信したメディアを表示する表示手段と、
を備えたことを特徴とするメディア転送制御システム。
【請求項２】
前記転送機器へのメディアの配信をＩＭＳプロトコルで実行することを特徴とする請求項１に記載のメディア転送制御システム。
【請求項３】
前記転送信号送信手段が赤外線通信により、前記転送信号を送信することを特徴とする請求項１に記載のメディア転送制御システム。
【請求項４】
前記送信側携帯端末と受信側携帯端末とが携帯電話であることを特徴とする請求項１に記載のメディア転送制御システム。
【請求項５】
前記送信側携帯端末が、前記受信側携帯端末と通話中に、メディアを配信することを特徴とする請求項４に記載のメディア転送制御システム。
【請求項６】
前記アプリケーションサーバが、前記送信側携帯端末の所有者を認証する加入者認証データベースを備えたことを特徴とする請求項１に記載のメディア転送制御システム。
【請求項７】
送信側携帯端末と、受信側携帯端末と、転送機器と、メディアセッションの制御とメディアの転送先の切り替え管理を行うアプリケーションサーバとからなるメディア転送制御システムであって、
前記送信側携帯端末が、前記受信側携帯端末にメディアを配信する第１のメディア配信手段を備え、
前記受信側携帯端末が、
前記送信側携帯端末からメディアを受信する第１の受信手段と、
本体を該受信したメディアを転送する転送機器に向ける動作に対応して、転送信号を送信する転送信号送信手段と、
前記アプリケーションサーバからのメディア転送要求を受信するメディア転送要求受信手段と、
該メディア転送要求を受信したときに、前記メディアを転送する転送機器にメディアを配信する第２のメディア配信手段と、
前記転送機器が、
前記受信側携帯端末から転送信号を受信する転送信号受信手段と、
該転送信号を受信したときに、受信通知を前記アプリケーションサーバに送信する受信通知送信手段と、
前記受信側携帯端末からメディアを受信するメディア受信手段と、
該受信したメディアを表示する表示手段と、
を備え、
前記転送機器において、前記転送信号が受信状態から非受信状態に遷移した場合に、前記受信側携帯端末が前記アプリケーションサーバにメディア転送要求信号を送信し、前記アプリケーションサーバが、該メディア転送要求信号を前記転送機器に送信し、前記転送機器が表示しているメディアを前記受信側携帯端末に配信することを特徴とするメディア転送制御システム。
【請求項８】
前記転送機器へのメディアの配信をＩＭＳプロトコルで実行することを特徴とする請求項７に記載のメディア転送制御システム。
【請求項９】
前記転送信号送信手段が赤外線通信により、前記転送信号を送信することを特徴とする請求項７に記載のメディア転送制御システム。
【請求項１０】
前記送信側携帯端末が、前記受信側携帯端末と通話中に、メディアを配信することを特徴とする請求項７に記載のメディア転送制御システム。
【請求項１１】
送信側携帯端末と、受信側携帯端末と、転送機器と、メディアセッションの制御とメディアの転送先の切り替え管理を行うアプリケーションサーバとからなるメディア転送制御システムにおけるメディア転送方法であって、
前記送信側携帯端末が、前記受信側携帯端末にメディアを配信する第１のステップと、
前記受信側携帯端末が、前記送信側携帯端末からメディアを受信する第２のステップと、
前記受信側携帯端末が、本体を該受信したメディアを転送する転送機器に向ける動作に対応して、転送信号を送信する第３のステップと、
前記転送機器が、前記受信側携帯端末から転送信号を受信する第４のステップと、
前記転送機器が、該転送信号を受信したときに、受信通知を前記アプリケーションサーバに送信する第５のステップと、
前記受信側携帯端末が、前記アプリケーションサーバからのメディア転送要求を受信する第６のステップと、
前記受信側携帯端末が、該メディア転送要求を受信したときに、前記メディアを転送する転送機器にメディアを配信する第７のステップと、
前記転送機器が、前記受信側携帯端末からメディアを受信する第８のステップと、
前記転送機器が、該受信したメディアを表示する第９のステップと、
を備えたことを特徴とするメディア転送方法。
【請求項１２】
送信側携帯端末と、受信側携帯端末と、転送機器と、メディアセッションの制御とメディアの転送先の切り替え管理を行うアプリケーションサーバとからなるメディア転送制御システムにおけるメディア転送方法であって、
前記送信側携帯端末が、前記受信側携帯端末にメディアを配信する第１のステップと、
前記受信側携帯端末が、前記送信側携帯端末からメディアを受信する第２のステップと、
前記受信側携帯端末が、本体を該受信したメディアを転送する転送機器に向ける動作に対応して、転送信号を送信する第３のステップと、
前記転送機器が、前記受信側携帯端末から転送信号を受信する第４のステップと、
前記転送機器が、該転送信号を受信したときに、受信通知を前記アプリケーションサーバに送信する第５のステップと、
前記受信側携帯端末が、前記アプリケーションサーバからのメディア転送要求を受信する第６のステップと、
前記受信側携帯端末が、該メディア転送要求を受信したときに、前記メディアを転送する転送機器にメディアを配信する第７のステップと、
前記転送機器が、前記受信側携帯端末からメディアを受信する第８のステップと、
前記転送機器が、該受信したメディアを表示する第９のステップと、
前記転送機器が、前記転送信号の受信状態から非受信状態に遷移した場合に、前記受信側携帯端末が前記アプリケーションサーバにメディア転送要求信号を送信する第１０のステップと、
前記アプリケーションサーバが、該メディア転送要求信号を前記転送機器に送信する第１１のステップと、
前記転送機器が表示しているメディアを前記受信側携帯端末に配信する第１２のステップと、
を備えたことを特徴とするメディア転送方法。
【請求項１３】
送信側携帯端末と、受信側携帯端末と、転送機器と、メディアセッションの制御とメディアの転送先の切り替え管理を行うアプリケーションサーバとからなるメディア転送制御システムにおけるメディア転送方法をコンピュータに実行させるためのプログラムであって、
前記送信側携帯端末が、前記受信側携帯端末にメディアを配信する第１のステップと、
前記受信側携帯端末が、前記送信側携帯端末からメディアを受信する第２のステップと、
前記受信側携帯端末が、本体を該受信したメディアを転送する転送機器に向ける動作に対応して、転送信号を送信する第３のステップと、
前記転送機器が、前記受信側携帯端末から転送信号を受信する第４のステップと、
前記転送機器が、該転送信号を受信したときに、受信通知を前記アプリケーションサーバに送信する第５のステップと、
前記受信側携帯端末が、前記アプリケーションサーバからのメディア転送要求を受信する第６のステップと、
前記受信側携帯端末が、該メディア転送要求を受信したときに、前記メディアを転送する転送機器にメディアを配信する第７のステップと、
前記転送機器が、前記受信側携帯端末からメディアを受信する第８のステップと、
前記転送機器が、該受信したメディアを表示する第９のステップと、
をコンピュータに実行させるためのプログラム。
【請求項１４】
送信側携帯端末と、受信側携帯端末と、転送機器と、メディアセッションの制御とメディアの転送先の切り替え管理を行うアプリケーションサーバとからなるメディア転送制御システムにおけるメディア転送方法をコンピュータに実行させるためのプログラムであって、
前記送信側携帯端末が、前記受信側携帯端末にメディアを配信する第１のステップと、
前記受信側携帯端末が、前記送信側携帯端末からメディアを受信する第２のステップと、
前記受信側携帯端末が、本体を該受信したメディアを転送する転送機器に向ける動作に対応して、転送信号を送信する第３のステップと、
前記転送機器が、前記受信側携帯端末から転送信号を受信する第４のステップと、
前記転送機器が、該転送信号を受信したときに、受信通知を前記アプリケーションサーバに送信する第５のステップと、
前記受信側携帯端末が、前記アプリケーションサーバからのメディア転送要求を受信する第６のステップと、
前記受信側携帯端末が、該メディア転送要求を受信したときに、前記メディアを転送する転送機器にメディアを配信する第７のステップと、
前記転送機器が、前記受信側携帯端末からメディアを受信する第８のステップと、
前記転送機器が、該受信したメディアを表示する第９のステップと、
前記転送機器が、前記転送信号の受信状態から非受信状態に遷移した場合に、前記受信側携帯端末が前記アプリケーションサーバにメディア転送要求信号を送信する第１０のステップと、
前記アプリケーションサーバが、該メディア転送要求信号を前記転送機器に送信する第１１のステップと、
前記転送機器が表示しているメディアを前記受信側携帯端末に配信する第１２のステップと、
をコンピュータに実行させるためのプログラム。
【発明の詳細な説明】
【技術分野】
【０００１】
本発明は、簡易な構成で、身の回りにある電子機器に簡単にメディアを転送することができるメディア転送制御システム、メディア転送方法およびプログラムに関する。
【背景技術】
【０００２】
従来より、宅内ネットワークに設置され、当該宅内ネットワーク内に収容された音声通話端末、画像通話端末、映像配信端末等の端末装置（メディア端末）に対し、音声通話端末間での音声通話サービス、画像通話端末間での画像通話（音声を含む。）サービス、映像配信サーバから配信される映像（音声を含む。）を映像配信端末で視聴する映像配信サービス等の、各種のメディアサービスを提供するメディア転送装置が知られている（例えば、特許文献１参照）。
【０００３】
図９は従来のメディア転送装置を用いたメディアサービスの一例、ここでは音声通話サービスの例を示すもので、図中、２０は宅内ネットワーク、３０は音声通話サービスの対向側の宅内ネットワーク、４０は外部ネットワークである。
【０００４】
宅内ネットワーク２０，３０にはそれぞれメディア転送装置２１，３１が設置され、さらにメディア転送装置２１，３１は音声通話端末２２，３２を収容（接続）するとともに、ＯＮＵ（Ｏｐｔｉｃａｌ Ｎｅｔｗｏｒｋ Ｕｎｉｔ）２３，３３を介して外部ネットワーク４０に接続されている。
【０００５】
メディア転送装置２１，３１は、外部ネットワーク側（以降、ＷＡＮ側と称す。）の入力および出力、音声通話端末側（以降、ＬＡＮ側と称す。）の入力および出力を有し、ＷＡＮ側入力から入力されたメディア信号（この場合、音声メディア信号）をＬＡＮ側出力ヘ転送し、また、ＬＡＮ側入力から入力されたメディア信号をＷＡＮ側出力ヘ転送するメディア転送機能を有する。
【０００６】
音声通話サービスでは、音声通話端末２２から出力されたメディア信号がメディア転送装置２１のＬＡＮ側入力から入力される。メディア転送装置２１では、この入力されたメディア信号をＷＡＮ側出力へ転送する。出力されたメディア信号は、ＯＮＵ２３および外部ネットワーク４０を介して相手側宅内ネットワーク３０に到達し、相手側宅内ネットワーク３０内のＯＮＵ３３、メディア転送装置３１を介して相手側音声通話端末３２に送られる。
【０００７】
反対に、相手側音声通話端末３２から出力されたメディア信号は、相手側宅内ネットワーク３０内のメディア転送装置３１、ＯＮＵ３３、並びに外部ネットワーク４０を介して宅内ネットワーク２０に到達し、宅内ネットワーク２０内のＯＮＵ２３を介してメディア転送装置２１のＷＡＮ側入力に入力される。メディア転送装置２１では、この入力されたメディア信号をＬＡＮ側出力へ転送し、出力されたメディア信号は音声通話端末２２に到達する。
【０００８】
音声通話サービスの場合、このように、音声通話端末２１から音声通話端末３１に送信されるメディア信号と、音声通話端末３１から音声通話端末２１に送信されるメディア信号とが相互にやりとりされ、音声通話が成立する。
【０００９】
このため、メディア転送装置２１，３１内でのメディア転送処理遅延が大きくなると、音声通話端末２２，３２間の音声のやりとりの遅延が大きくなり、音声通話の快適性を損なってしまう。このことから、音声通話サービスでは、メディア転送装置２１，３１には、処理遅延が小さい特性を有する終端モデルを利用したメディア転送機能を保有するものを使用していた。
【００１０】
図１０は従来のメディア転送装置を用いたメディアサービスの他の例、ここでは画像通話サービスの例を示すもので、図中、２０は宅内ネットワーク、４０は外部ネットワーク、５０は画像通話サービスの対向側の宅内ネットワークである。
【００１１】
宅内ネットワーク２０，５０にはそれぞれメディア転送装置２１ｂ，５１が設置され、さらにメディア転送装置２１ｂ，５１は画像通話端末２４，５２を収容（接続）するとともに、ＯＮＵ２３，５３を介して外部ネットワーク４０に接続されている。
【００１２】
メディア転送装置２１ｂ，５１は、ＷＡＮ側の入力および出力、画像通話端末側（以降、ＬＡＮ側と称す。）の入力および出力を有し、ＷＡＮ側入力から入力されたメディア信号（この場合、画像・音声メディア信号）をＬＡＮ側出力へ転送し、また、ＬＡＮ側入力から入力されたメディア信号をＷＡＮ側出力へ転送するメディア転送機能を有する。
【００１３】
画像通話サービスでは、画像通話端末２４から出力されたメディア信号がメディア転送装置２１ｂのＬＡＮ側入力から入力される。メディア転送装置２１ｂでは、この入力されたメディア信号をＷＡＮ側出力へ転送する。出力されたメディア信号は、ＯＮＵ２３および外部ネットワーク４０を介して相手側宅内ネットワーク５０に到達し、相手側宅内ネットワーク５０内のＯＮＵ５３、メディア転送装置５１を介して相手側画像通話端末５２に送られる。
【００１４】
反対に、相手側画像通話端末５２から出力されたメディア信号は、相手側宅内ネットワーク５０内のメディア転送装置５１、ＯＮＵ５３、並びに外部ネットワーク４０を介して宅内ネットワーク２０に到達し、宅内ネットワーク２０内のＯＮＵ２３を介してメディア転送装置２１ｂのＷＡＮ側入力に入力される。メディア転送装置２１ｂでは、この入力されたメディア信号をＬＡＮ側出力へ転送し、出力されたメディア信号は画像通話端末２４に到達する。
【００１５】
画像通話サービスの場合、このように、画像通話端末２４から画像通話端末５２に送信されるメディア信号と、画像通話端末５２から画像通話端末２４に送信されるメディア信号とが相互にやりとりされ、画像通話が成立する。
【００１６】
このため、メディア転送装置２１ｂ，５１内でのメディア転送処理遅延が大きくなると、画像通話端末２４，５２間の画像・音声のやりとりの遅延が大きくなり、画像通話の快適性を損なってしまう。このことから、画像通話サービスでは、メディア転送装置２１ｂ，５１には、音声通話サービスの場合と同様、処理遅延が小さい特性を有する終端モデルを利用したメディア転送機能を保有するものを使用する。
【００１７】
図１１は従来のメディア転送装置を用いたメディアサービスのさらに他の例、ここでは映像配信サービスの例を示すもので、図中、２０は宅内ネットワーク、４０は外部ネットワーク、６１は映像配信サーバである。
【００１８】
宅内ネットワーク２０にはメディア転送装置２１ｃが設置され、さらにメディア転送装置２１ｃは映像配信端末２５を収容（接続）するとともに、ＯＮＵ２３を介して外部ネットワーク４０に接続されている。また、映像配信サーバ６１は外部ネットワーク４０に接続されている。
【００１９】
メディア転送装置２１ｃは、ＷＡＮ側の入力および出力、映像配信端末側（以降、ＬＡＮ側と称す。）の入力および出力を有し、ＷＡＮ側入力から入力されたメディア信号（この場合、映像・音声メディア信号）をＬＡＮ側出力へ転送し、また、ＬＡＮ側入力から入力されたメディア信号をＷＡＮ側出力へ転送するメディア転送機能を有する。
【００２０】
映像配信サービスでは、映像配信サーバ６１から配信された配信メディア信号が外部ネットワーク４０を介して宅内ネットワーク２０に到達し、宅内ネットワーク２０内のＯＮＵ２３を介してメディア転送装置２１ｃのＷＡＮ側入力に入力される。メディア転送装置２１ｃでは、この入力されたメディア信号をＬＡＮ側出力へ転送し、出力されたメディア信号は映像配信端末２５に到達する。以上のようにして映像配信が成立する。
【００２１】
映像配信サービスの場合、配信サーバ６１から映像配信端末２５へメディアを転送する一方向の転送であるため、処理遅延が大きくてもサービス性には影響はない。代わりに、音声通信や通常の画像通信の場合と比較して大量のデータを配信するため、大量のデータを確実に転送することができる高い転送性能が重要になる。
【００２２】
こうした特性を有する方式としては、ルーティングモデル方式もしくは連動ＮＡＰＴモデル方式がある。さらに、ルーティングモデルは、メディア転送装置配下の端末がグローバルアドレスを保有している場合の転送モデルであり、連動ＮＡＰＴモデルは、メディア転送装置配下の端末にプライベートアドレスを割り付け、メディア転送装置においてグローバルアドレスとプライベートアドレスを変換する必要がある場合の転送モデルである。
【００２３】
このため、メディア転送装置２１ｃとしては、配下の端末がグローバルアドレスを保有している場合はルーティングモデルを有するメディア転送装置を使用し、また、配下の端末がグローバルアドレスを保有しておらず、メディア転送装置において配下の端末にプライベートアドレスを割り付け、グローバルアドレスとプライベートアドレスを変換する必要がある場合は、連動ＮＡＰＴモデルを有するメディア転送装置を使用する。
【先行技術文献】
【特許文献】
【００２４】
【特許文献１】特開２００５−２５２４７７号公報
【発明の概要】
【発明が解決しようとする課題】
【００２５】
ところが、近年、固定電話網や移動体通信網など、これまで回路スイッチやパケットスイッチが異なっていた公衆通信サービスを、ＩＰ技術やインターネット電話で使われるプロトコルであるＳＩＰ（Ｓｅｓｓｉｏｎ Ｉｎｉｔｉａｔｉｏｎ Ｐｒｏｔｏｃｏｌ）で統合し、マルチメディアサービスを実現させる通信方式である通信のＩＭＳ（ＩＰ Ｍｕｌｔｉｍｅｄｉａ Ｓｕｂｓｙｓｔｅｍ）化により、通話中における別セッション（複数のセッション）の同時制御が可能となり、通話中に、各メディア（画像、動画、音楽、Ｗｅｂ等）を共有し、コミュニケーションを図る技術が推進されている。
【００２６】
しかし、それぞれのメディア端末が必要とするメディア転送機能が異なる場合、従来の方法では、各メディア端末に合ったメディア転送機能をそれぞれ有するメディア転送装置を複数種類、準備する必要があった。また、身の回りにある電子機器に簡単にメディアを転送することが困難であった。
【００２７】
そこで、本発明は、上述の課題に鑑みてなされたものであり、簡易な構成で、身の回りにある電子機器に簡単にメディアを転送することができるメディア転送制御システム、メディア転送方法およびプログラムを提供することを目的とする。
【課題を解決するための手段】
【００２８】
本発明は、上記の課題を解決するために、以下の事項を提案している。なお、理解を容易にするために、本発明の実施形態に対応する符号を付して説明するが、これに限定されるものではない。
【００２９】
（１）本発明は、送信側携帯端末（例えば、図１の送信側携帯電話１００に相当）と、受信側携帯端末（例えば、図１の受信側携帯電話２００に相当）と、転送機器（例えば、図１の転送機器Ａ４１０、転送機器Ｂ４２０に相当）と、メディアセッションの制御とメディアの転送先の切り替え管理を行うアプリケーションサーバ（例えば、図１のアプリケーションサーバ３００に相当）とからなるメディア転送制御システムであって、前記送信側携帯端末が、前記受信側携帯端末にメディアを配信する第１のメディア配信手段（例えば、図２のメディア配信部１２０に相当）を備え、前記受信側携帯端末が、前記送信側携帯端末からメディアを受信する第１の受信手段（例えば、図３の受信部２１０に相当）と、本体を該受信したメディアを転送する転送機器に向ける動作に対応して、転送信号を送信する転送信号送信手段（例えば、図３の転送信号送信部２３０に相当）と、前記アプリケーションサーバからのメディア転送要求を受信するメディア転送要求受信手段（例えば、図３の転送要求受信部２４０に相当）と、該メディア転送要求を受信したときに、前記メディアを転送する転送機器にメディアを配信する第２のメディア配信手段（例えば、図３の配信部２５０に相当）と、前記転送機器が、前記受信側携帯端末から転送信号を受信する転送信号受信手段（例えば、図５の転送信号受信部４１１に相当）と、該転送信号を受信したときに、受信通知を前記アプリケーションサーバに送信する受信通知送信手段（例えば、図５の受信通知送信部４１２に相当）と、前記受信側携帯端末からメディアを受信するメディア受信手段（例えば、図５のメディア受信部４１３に相当）と、該受信したメディアを表示する表示手段（例えば、図５の表示部４１４に相当）と、を備えたことを特徴とするメディア転送制御システムを提案している。
【００３０】
この発明によれば、送信側携帯端末の第１のメディア配信手段は、受信側携帯端末にメディアを配信する。受信側携帯端末の第１の受信手段は、送信側携帯端末からメディアを受信する。転送信号送信手段は、本体を受信したメディアを転送する転送機器に向ける動作に対応して、転送信号を送信する。メディア転送要求受信手段は、アプリケーションサーバからのメディア転送要求を受信する。第２のメディア配信手段は、メディア転送要求を受信したときに、メディアを転送する転送機器にメディアを配信する。転送信号受信手段は、前記転送機器が、受信側携帯端末から転送信号を受信する。受信通知送信手段は、転送信号を受信したときに、受信通知をアプリケーションサーバに送信する。メディア受信手段は、受信側携帯端末からメディアを受信する。表示手段は、受信したメディアを表示する。したがって、簡易な構成で、身の回りにある電子機器に簡単にメディアを転送することができる。
【００３１】
（２）本発明は、（１）のメディア転送制御システムについて、前記転送機器へのメディアの配信をＩＭＳプロトコルで実行することを特徴とするメディア転送制御システムを提案している。
【００３２】
この発明によれば、転送機器へのメディアの配信をＩＭＳプロトコルで実行する。つまり、転送信号送信手段は、転送するデバイスを指定することのみに用いられ、メディアの配信自体は、ＩＭＳプロトコルを利用し実現させる。これにより、赤外線通信等では時間がかかる転送デバイスに送信元クライアントを向け続けなければならない煩わしさがなくなり、転送したいデバイスに対してメディア転送を円滑に行うことができる。
【００３３】
（３）本発明は、（１）のメディア転送制御システムについて、前記転送信号送信手段が赤外線通信により、前記転送信号を送信することを特徴とするメディア転送制御システムを提案している。
【００３４】
この発明によれば、転送信号送信手段が赤外線通信により、転送信号を送信する。したがって、赤外線通信を用いることにより、メディアを転送する機器に確実に転送信号を送信することができる。
【００３５】
（４）本発明は、（１）のメディア転送制御システムについて、前記送信側携帯端末と受信側携帯端末とが携帯電話であることを特徴とするメディア転送制御システムを提案している。
【００３６】
この発明によれば、送信側携帯端末と受信側携帯端末とが携帯電話である。なお、送信側携帯端末と受信側携帯端末とは、スマートフォンであることが好ましい。
【００３７】
（５）本発明は、（４）のメディア転送制御システムについて、前記送信側携帯端末が、前記受信側携帯端末と通話中に、メディアを配信することを特徴とするメディア転送制御システムを提案している。
【００３８】
この発明によれば、送信側携帯端末が、受信側携帯端末と通話中に、メディアを配信する。これにより、発信に応答した機器をメディアの転送を行う機器を指定する機器として特定できる。
【００３９】
（６）本発明は、（１）のメディア転送制御システムについて、前記アプリケーションサーバが、前記送信側携帯端末の所有者を認証する加入者認証データベース（例えば、図４の加入者データベース３４０に相当）を備えたことを特徴とするメディア転送制御システムを提案している。
【００４０】
この発明によれば、アプリケーションサーバが、送信側携帯端末の所有者を認証する加入者認証データベースを備えている。これにより、加入者のマルチデバイス管理を行うことができる。
【００４１】
（７）本発明は、送信側携帯端末と、受信側携帯端末と、転送機器と、メディアセッションの制御とメディアの転送先の切り替え管理を行うアプリケーションサーバとからなるメディア転送制御システムであって、前記送信側携帯端末が、前記受信側携帯端末にメディアを配信する第１のメディア配信手段（例えば、図２のメディア配信部１２０に相当）を備え、前記受信側携帯端末が、前記送信側携帯端末からメディアを受信する第１の受信手段（例えば、図３の受信部２１０に相当）と、本体を該受信したメディアを転送する転送機器に向ける動作に対応して、転送信号を送信する転送信号送信手段（例えば、図３の転送信号送信部２３０に相当）と、前記アプリケーションサーバからのメディア転送要求を受信するメディア転送要求受信手段（例えば、図３の転送要求受信部２４０に相当）と、該メディア転送要求を受信したときに、前記メディアを転送する転送機器にメディアを配信する第２のメディア配信手段（例えば、図３の配信部２５０に相当）と、前記転送機器が、前記受信側携帯端末から転送信号を受信する転送信号受信手段（例えば、図５の転送信号受信部４１１に相当）と、該転送信号を受信したときに、受信通知を前記アプリケーションサーバに送信する受信通知送信手段（例えば、図５の受信通知送信部４１２に相当）と、前記受信側携帯端末からメディアを受信するメディア受信手段（例えば、図５のメディア受信部４１３に相当）と、該受信したメディアを表示する表示手段（例えば、図５の表示部４１４に相当）と、を備え、前記転送機器において、前記転送信号が受信状態から非受信状態に遷移した場合に、前記受信側携帯端末が前記アプリケーションサーバにメディア転送要求信号を送信し、前記アプリケーションサーバが、該メディア転送要求信号を前記転送機器に送信し、前記転送機器が表示しているメディアを前記受信側携帯端末に配信することを特徴とするメディア転送制御システムを提案している。
【００４２】
この発明によれば、送信側携帯端末の第１のメディア配信手段は、受信側携帯端末にメディアを配信する。受信側携帯端末の第１の受信手段は、送信側携帯端末からメディアを受信する。転送信号送信手段は、本体を受信したメディアを転送する転送機器に向ける動作に対応して、転送信号を送信する。メディア転送要求受信手段は、アプリケーションサーバからのメディア転送要求を受信する。第２のメディア配信手段は、メディア転送要求を受信したときに、メディアを転送する転送機器にメディアを配信する。転送信号受信手段は、転送機器が、受信側携帯端末から転送信号を受信する。受信通知送信手段は、転送信号を受信したときに、受信通知をアプリケーションサーバに送信する。メディア受信手段は、受信側携帯端末からメディアを受信する。表示手段は、受信したメディアを表示する。次に、転送機器において、転送信号が受信状態から非受信状態に遷移した場合に、受信側携帯端末がアプリケーションサーバにメディア転送要求信号を送信し、アプリケーションサーバが、メディア転送要求信号を転送機器に送信し、転送機器が表示しているメディアを受信側携帯端末に配信する。したがって、すでに、転送機器に配信したメディアを所定の操作によって、簡単に、受信側携帯端末に戻すことができる。
【００４３】
（８）本発明は、（７）のメディア転送制御システムについて、前記転送機器へのメディアの配信をＩＭＳプロトコルで実行することを特徴とするメディア転送制御システムを提案している。
【００４４】
この発明によれば、転送機器へのメディアの配信をＩＭＳプロトコルで実行する。つまり、転送信号送信手段は、転送するデバイスを指定することのみに用いられ、メディアの配信自体は、ＩＭＳプロトコルを利用し実現させる。これにより、赤外線通信等では時間がかかる転送デバイスに送信元クライアントを向け続けなければならない煩わしさがなくなり、転送したいデバイスに対してメディア転送を円滑に行うことができる。
【００４５】
（９）本発明は、（７）のメディア転送制御システムについて、前記転送信号送信手段が赤外線通信により、前記転送信号を送信することを特徴とするメディア転送制御システムを提案している。
【００４６】
この発明によれば、転送信号送信手段が赤外線通信により、転送信号を送信する。したがって、赤外線通信を用いることにより、メディアを転送する機器に確実に転送信号を送信することができる。
【００４７】
（１０）本発明は、（７）のメディア転送制御システムについて、前記送信側携帯端末が、前記受信側携帯端末と通話中に、メディアを配信することを特徴とするメディア転送制御システムを提案している。
【００４８】
この発明によれば、送信側携帯端末が、受信側携帯端末と通話中に、メディアを配信する。これにより、発信に応答した機器をメディアの転送を行う機器を指定する機器として特定できる。
【００４９】
（１１）本発明は、送信側携帯端末と、受信側携帯端末と、転送機器と、メディアセッションの制御とメディアの転送先の切り替え管理を行うアプリケーションサーバとからなるメディア転送制御システムにおけるメディア転送方法であって、前記送信側携帯端末が、前記受信側携帯端末にメディアを配信する第１のステップ（例えば、図６のステップＳ１０９に相当）と、前記受信側携帯端末が、前記送信側携帯端末からメディアを受信する第２のステップ（例えば、図６のステップＳ１１０に相当）と、前記受信側携帯端末が、本体を該受信したメディアを転送する転送機器に向ける動作に対応して、転送信号を送信する第３のステップ（例えば、図７のステップＳ２０１、ステップＳ２０２に相当）と、前記転送機器が、前記受信側携帯端末から転送信号を受信する第４のステップ（例えば、図７のステップＳ２０２に相当）と、前記転送機器が、該転送信号を受信したときに、受信通知を前記アプリケーションサーバに送信する第５のステップ（例えば、図７のステップＳ２０３に相当）と、前記受信側携帯端末が、前記アプリケーションサーバからのメディア転送要求を受信する第６のステップ（例えば、図７のステップＳ２０５に相当）と、前記受信側携帯端末が、該メディア転送要求を受信したときに、前記メディアを転送する転送機器にメディアを配信する第７のステップ（例えば、図７のステップＳ２０６に相当）と、前記転送機器が、前記受信側携帯端末からメディアを受信する第８のステップ（例えば、図７のステップＳ２０６に相当）と、前記転送機器が、該受信したメディアを表示する第９のステップ（例えば、図７のステップＳ２０７に相当）と、を備えたことを特徴とするメディア転送方法を提案している。
【００５０】
この発明によれば、送信側携帯端末が、受信側携帯端末にメディアを配信する。受信側携帯端末は、送信側携帯端末からメディアを受信し、本体を受信したメディアを転送する転送機器に向ける動作に対応して、転送信号を送信する。転送機器は、受信側携帯端末から転送信号を受信し、転送信号を受信したときに、受信通知をアプリケーションサーバに送信する。受信側携帯端末は、アプリケーションサーバからのメディア転送要求を受信し、メディア転送要求を受信したときに、メディアを転送する転送機器にメディアを配信する。そして、転送機器は、受信側携帯端末からメディアを受信し、受信したメディアを表示する。したがって、簡易な処理で、身の回りにある電子機器に簡単にメディアを転送することができる。
【００５１】
（１２）本発明は、送信側携帯端末と、受信側携帯端末と、転送機器と、メディアセッションの制御とメディアの転送先の切り替え管理を行うアプリケーションサーバとからなるメディア転送制御システムにおけるメディア転送方法であって、前記送信側携帯端末が、前記受信側携帯端末にメディアを配信する第１のステップ（例えば、図６のステップＳ１０９に相当）と、前記受信側携帯端末が、前記送信側携帯端末からメディアを受信する第２のステップ（例えば、図６のステップＳ１１０に相当）と、前記受信側携帯端末が、本体を該受信したメディアを転送する転送機器に向ける動作に対応して、転送信号を送信する第３のステップ（例えば、図７のステップＳ２０１、ステップＳ２０２に相当）と、前記転送機器が、前記受信側携帯端末から転送信号を受信する第４のステップ（例えば、図７のステップＳ２０２に相当）と、前記転送機器が、該転送信号を受信したときに、受信通知を前記アプリケーションサーバに送信する第５のステップ（例えば、図７のステップＳ２０３に相当）と、前記受信側携帯端末が、前記アプリケーションサーバからのメディア転送要求を受信する第６のステップ（例えば、図７のステップＳ２０５に相当）と、前記受信側携帯端末が、該メディア転送要求を受信したときに、前記メディアを転送する転送機器にメディアを配信する第７のステップ（例えば、図７のステップＳ２０６に相当）と、前記転送機器が、前記受信側携帯端末からメディアを受信する第８のステップ（例えば、図７のステップＳ２０６に相当）と、前記転送機器が、該受信したメディアを表示する第９のステップ（例えば、図７のステップＳ２０７に相当）と、前記転送機器が、前記転送信号の受信状態から非受信状態に遷移した場合に、前記受信側携帯端末が前記アプリケーションサーバにメディア転送要求信号を送信する第１０のステップ（例えば、図８のステップＳ３０１、ステップＳ３０２に相当）と、前記アプリケーションサーバが、該メディア転送要求信号を前記転送機器に送信する第１１のステップ（例えば、図８のステップＳ３０４に相当）と、前記転送機器が表示しているメディアを前記受信側携帯端末に配信する第１２のステップ（例えば、図８のステップＳ３０５に相当）と、を備えたことを特徴とするメディア転送方法を提案している。
【００５２】
この発明によれば、送信側携帯端末が、受信側携帯端末にメディアを配信する。受信側携帯端末は、送信側携帯端末からメディアを受信し、本体を受信したメディアを転送する転送機器に向ける動作に対応して、転送信号を送信する。転送機器は、受信側携帯端末から転送信号を受信し、転送信号を受信したときに、受信通知をアプリケーションサーバに送信する。受信側携帯端末は、アプリケーションサーバからのメディア転送要求を受信し、メディア転送要求を受信したときに、メディアを転送する転送機器にメディアを配信する。転送機器は、受信側携帯端末からメディアを受信し、受信したメディアを表示する。そして、転送機器が、転送信号の受信状態から非受信状態に遷移した場合に、受信側携帯端末がアプリケーションサーバにメディア転送要求信号を送信する。アプリケーションサーバは、メディア転送要求信号を転送機器に送信する。そして、転送機器は、表示しているメディアを受信側携帯端末に配信する。したがって、すでに、転送機器に配信したメディアを所定の操作によって、簡単に、受信側携帯端末に戻すことができる。
【００５３】
（１３）本発明は、送信側携帯端末と、受信側携帯端末と、転送機器と、メディアセッションの制御とメディアの転送先の切り替え管理を行うアプリケーションサーバとからなるメディア転送制御システムにおけるメディア転送方法をコンピュータに実行させるためのプログラムであって、前記送信側携帯端末が、前記受信側携帯端末にメディアを配信する第１のステップ（例えば、図６のステップＳ１０９に相当）と、前記受信側携帯端末が、前記送信側携帯端末からメディアを受信する第２のステップ（例えば、図６のステップＳ１１０に相当）と、前記受信側携帯端末が、本体を該受信したメディアを転送する転送機器に向ける動作に対応して、転送信号を送信する第３のステップ（例えば、図７のステップＳ２０１、ステップＳ２０２に相当）と、前記転送機器が、前記受信側携帯端末から転送信号を受信する第４のステップ（例えば、図７のステップＳ２０２に相当）と、前記転送機器が、該転送信号を受信したときに、受信通知を前記アプリケーションサーバに送信する第５のステップ（例えば、図７のステップＳ２０３に相当）と、前記受信側携帯端末が、前記アプリケーションサーバからのメディア転送要求を受信する第６のステップ（例えば、図７のステップＳ２０５に相当）と、前記受信側携帯端末が、該メディア転送要求を受信したときに、前記メディアを転送する転送機器にメディアを配信する第７のステップ（例えば、図７のステップＳ２０６に相当）と、前記転送機器が、前記受信側携帯端末からメディアを受信する第８のステップ（例えば、図７のステップＳ２０６に相当）と、前記転送機器が、該受信したメディアを表示する第９のステップ（例えば、図７のステップＳ２０７に相当）と、をコンピュータに実行させるためのプログラムを提案している。
【００５４】
この発明によれば、送信側携帯端末が、受信側携帯端末にメディアを配信する。受信側携帯端末は、送信側携帯端末からメディアを受信し、本体を受信したメディアを転送する転送機器に向ける動作に対応して、転送信号を送信する。転送機器は、受信側携帯端末から転送信号を受信し、転送信号を受信したときに、受信通知をアプリケーションサーバに送信する。受信側携帯端末は、アプリケーションサーバからのメディア転送要求を受信し、メディア転送要求を受信したときに、メディアを転送する転送機器にメディアを配信する。そして、転送機器は、受信側携帯端末からメディアを受信し、受信したメディアを表示する。したがって、簡易な処理で、身の回りにある電子機器に簡単にメディアを転送することができる。
【００５５】
（１４）本発明は、送信側携帯端末と、受信側携帯端末と、転送機器と、メディアセッションの制御とメディアの転送先の切り替え管理を行うアプリケーションサーバとからなるメディア転送制御システムにおけるメディア転送方法をコンピュータに実行させるためのプログラムであって、前記送信側携帯端末が、前記受信側携帯端末にメディアを配信する第１のステップ（例えば、図６のステップＳ１０９に相当）と、前記受信側携帯端末が、前記送信側携帯端末からメディアを受信する第２のステップ（例えば、図６のステップＳ１１０に相当）と、前記受信側携帯端末が、本体を該受信したメディアを転送する転送機器に向ける動作に対応して、転送信号を送信する第３のステップ（例えば、図７のステップＳ２０１、ステップＳ２０２に相当）と、前記転送機器が、前記受信側携帯端末から転送信号を受信する第４のステップ（例えば、図７のステップＳ２０２に相当）と、前記転送機器が、該転送信号を受信したときに、受信通知を前記アプリケーションサーバに送信する第５のステップ（例えば、図７のステップＳ２０３に相当）と、前記受信側携帯端末が、前記アプリケーションサーバからのメディア転送要求を受信する第６のステップ（例えば、図７のステップＳ２０５に相当）と、前記受信側携帯端末が、該メディア転送要求を受信したときに、前記メディアを転送する転送機器にメディアを配信する第７のステップ（例えば、図７のステップＳ２０６に相当）と、前記転送機器が、前記受信側携帯端末からメディアを受信する第８のステップ（例えば、図７のステップＳ２０６に相当）と、前記転送機器が、該受信したメディアを表示する第９のステップ（例えば、図７のステップＳ２０７に相当）と、前記転送機器が、前記転送信号の受信状態から非受信状態に遷移した場合に、前記受信側携帯端末が前記アプリケーションサーバにメディア転送要求信号を送信する第１０のステップ（例えば、図８のステップＳ３０１、ステップＳ３０２に相当）と、前記アプリケーションサーバが、該メディア転送要求信号を前記転送機器に送信する第１１のステップ（例えば、図８のステップＳ３０４に相当）と、前記転送機器が表示しているメディアを前記受信側携帯端末に配信する第１２のステップ（例えば、図８のステップＳ３０５に相当）と、をコンピュータに実行させるためのプログラムを提案している。
【００５６】
この発明によれば、送信側携帯端末が、受信側携帯端末にメディアを配信する。受信側携帯端末は、送信側携帯端末からメディアを受信し、本体を受信したメディアを転送する転送機器に向ける動作に対応して、転送信号を送信する。転送機器は、受信側携帯端末から転送信号を受信し、転送信号を受信したときに、受信通知をアプリケーションサーバに送信する。受信側携帯端末は、アプリケーションサーバからのメディア転送要求を受信し、メディア転送要求を受信したときに、メディアを転送する転送機器にメディアを配信する。転送機器は、受信側携帯端末からメディアを受信し、受信したメディアを表示する。そして、転送機器が、転送信号の受信状態から非受信状態に遷移した場合に、受信側携帯端末がアプリケーションサーバにメディア転送要求信号を送信する。アプリケーションサーバは、メディア転送要求信号を転送機器に送信する。そして、転送機器は、表示しているメディアを受信側携帯端末に配信する。したがって、すでに、転送機器に配信したメディアを所定の操作によって、簡単に、受信側携帯端末に戻すことができる。
【発明の効果】
【００５７】
本発明によれば、メディア転送に際し、２台以上の転送可能なデバイスがあった場合、現存するＩＭＳプロトコルを用いて、転送先を設定しなくてはならないが、例えば、赤外線制御を活用することにより、直感的に、転送するデバイスを決定できるという効果がある。また、上記の赤外線制御は転送するデバイスを指定することのみに用い、メディアの配信自体は、ＩＭＳプロトコルを利用し実現させる。これにより、赤外線通信等では時間がかかる転送デバイスに送信元クライアントを向け続けなければならない煩わしさがなくなり、転送したいデバイスに対してメディア転送を円滑に行うことができるという効果がある。
【図面の簡単な説明】
【００５８】
【図１】本発明の実施形態に係るメディア転送制御システムの構成を示す図である。
【図２】本発明の実施形態に係る送信側携帯電話の構成を示す図である。
【図３】本発明の実施形態に係る受信側携帯電話の構成を示す図である。
【図４】本発明の実施形態に係るアプリケーションサーバの構成を示す図である。
【図５】本発明の実施形態に係る配信機器の構成を示す図である。
【図６】本発明の実施形態に係る送信側携帯電話から受信側携帯電話にメディアを転送する場合の処理を示す図である。
【図７】本発明の実施形態に係る受信側携帯電話から配信機器にメディアを転送する場合の処理を示す図である。
【図８】本発明の実施形態に係る変形例の処理を示す図である。
【図９】従来例に係る図である。
【図１０】従来例に係る図である。
【図１１】従来例に係る図である。
【発明を実施するための形態】
【００５９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００６０】
図１から図７を用いて、本発明の実施形態に係るメディア転送制御システムについて説明する。
【００６１】
＜メディア転送制御システムの構成＞
本実施形態に係るメディア転送制御システムは、図１に示すように、送信側携帯電話１００と、受信側携帯電話２００と、アプリケーションサーバ３００と、マルチデバイスとしての転送機器Ａ４１０と、転送機器Ｂ４２０とから構成されている。また、これらは、ともにネットワークを介して接続されている。なお、転送機器Ａ４１０、転送機器Ｂ４２０としては、タブレットＰＣやＳＴＢが想定されるが、これに限定されるものではない。本実施形態に係るメディア転送制御システムは、送信側携帯端末からメディアを受信した受信側携帯端末が、その本体を受信したメディアを転送する転送機器に向ける動作に対応して、転送信号を送信し、転送機器が、その転送信号を受信したときに、受信通知をアプリケーションサーバに送信することにより、受信側携帯端末が、アプリケーションサーバからのメディア転送要求を受信し、メディア転送要求を受信したときに、メディアを転送する転送機器にメディアを配信し、受信したメディアを表示するものである。
【００６２】
＜送信側携帯電話の構成＞
本実施形態に係る送信側携帯電話は、図２に示すように、通信部１１０と、メディア配信部１２０とから構成されている。
【００６３】
通信部１１０は、受信側携帯端末２００への発呼を行う。メディア配信部１２０は、受信側携帯端末２００における発呼に対する応答信号を受信した後に、受信側携帯端末２００との間に音声セッションおよびメディアセッションを確立して、メディアを受信側携帯端末２００に配信する。
【００６４】
＜受信側携帯端末の構成＞
本実施形態に係る受信側携帯電話は、図３に示すように、受信部２１０と、格納部２２０と、転送信号送信部２３０と、転送要求受信部２４０と、配信部２５０と、表示部２８０等から構成されている。
【００６５】
受信部２１０は、送信側携帯端末１００からメディアを受信する。格納部２２０は、受信したメディアを一時格納する。転送信号送信部２３０は、本体を受信したメディアを転送する転送機器４１０、４２０に向ける動作に対応して、転送信号を送信する。なお、転送信号送信部２３０は、赤外線通信に用いられる赤外線信号を送信できることが好ましい。
【００６６】
転送要求受信部２４０は、アプリケーションサーバ３００からのメディア転送要求を受信する。配信部２５０は、メディア転送要求を受信したときに、メディアを転送する転送機器４１０、４２０にメディアを配信する。表示部２８０は、送信側携帯端末１００から受信したメディアを表示する。
【００６７】
＜アプリケーションサーバの構成＞
本実施形態に係るアプリケーションサーバは、図４に示すように、デバイス制御部３１０と、呼処理制御部３２０と、メディアセッション制御部３３０と、加入者データベース３４０とから構成されている。
【００６８】
デバイス制御部３１０は、各デバイスのデバイスステータスに関する制御を行う。呼処理制御部３２０は、通話に関する処理を制御する。メディアセッション制御部３３０は、メディア送受信に関するセッションの制御を行う。加入者データベース３４０は、加入者のマルチデバイス管理を行うための認証処理に用いるデータを格納する。
【００６９】
＜配信機器の構成＞
本実施形態に係る配信機器は、図５に示すように、転送信号受信部４１１と、受信通知送信部４１２と、メディア受信部４１３と、表示部４１４等から構成されている。
【００７０】
転送信号受信部４１１は、受信側携帯端末２００から転送信号を受信する。受信通知送信部４１２は、転送信号を受信したときに、受信通知をアプリケーションサーバ３００に送信する。メディア受信部４１３は、受信側携帯端末からメディアを受信する。表示部４１４は、受信したメディアを表示する。なお、転送信号受信部４１１は、赤外線通信による赤外線信号を受信できることが好ましい。
【００７１】
＜送信側携帯電話から受信側携帯電話にメディアを転送する場合の処理＞
図６を用いて、送信側携帯電話から受信側携帯電話にメディアを転送する場合の処理について説明する。
【００７２】
まず、送信側携帯電話１００は、アプリケーションサーバ３００に発呼信号を送信する（ステップＳ１０１）。アプリケーションサーバ３００は、送信側携帯電話１００からの発呼信号を受信すると、加入者データベース３４０を検索し、マルチデバイスの有無について判定する（ステップＳ１０２）。そして、マルチデバイスが存在する場合には、マルチデバイスを構成するすべての機器について、発呼信号を同報発信する（ステップＳ１０３）。
【００７３】
次に、受信側携帯電話２００から応答信号を受信すると、この応答信号を送信側携帯電話１００に送信する（ステップＳ１０４）。ついで、アプリケーションサーバ３００は、応答のなかった配信機器Ａ４１０および配信機器Ｂ４２０に赤外線受信要求信号を送信する（ステップＳ１０５）。赤外線受信要求信号を受信した配信機器Ａ４１０および配信機器Ｂ４２０は、赤外線受信機能を起動させる（ステップＳ１０６）。
【００７４】
一方、応答信号を受信した送信側携帯電話１００は、受信側携帯電話２００との間に音声セッションを確立するとともに（ステップＳ１０７）、メディアセッションを確立する（ステップＳ１０８）。そして、送信側携帯電話１００から受信側携帯電話２００へメディアを配信し（ステップＳ１０９）、受信側携帯電話２００は、受信したメディアを表示部に表示する（ステップＳ１０９）。
【００７５】
＜受信側携帯電話から配信機器にメディアを転送する場合の処理＞
図７を用いて、受信側携帯電話２００から配信機器Ａ４１０にメディアを転送する場合の処理について説明する。
【００７６】
まず、受信側携帯電話２００のユーザが、本体をメディアの転送を行う転送機器Ａ４１０に向ける動作を行う（ステップＳ２０２）。この動作により、赤外線信号が転送機器Ａ４１０に送信される（ステップＳ２０３）。
【００７７】
赤外線信号を受信した転送機器Ａ４１０は、アプリケーションサーバ３００にメディア転送要求信号を送信する（ステップＳ２０４）。このとき、受信側携帯電話２００と転送機器Ａ４１０との間にメディアセッションが確立する（ステップＳ２０４）。
【００７８】
メディア転送要求信号を受信したアプリケーションサーバ３００は、受信側携帯電話２００に対して、メディア転送要求信号を送信する（ステップＳ２０５）。メディア転送要求信号を受信した受信側携帯電話２００は、転送機器Ａ４１０に対して、メディアを配信し（ステップＳ２０６）、メディアを受信した転送機器Ａ４１０は、受信したメディアを表示部に表示する（ステップＳ２０７）。そして、受信完了通知をアプリケーションサーバ３００に送信する。
【００７９】
＜変形例＞
図８を用いて、本実施形態の変形例について説明する。本変形例は、転送機器Ａ４１０において、転送信号を受信状態から非受信状態に遷移させることによって、先に配信したメディアを受信側携帯電話２００に配信させるものである。
【００８０】
この機能を実現するために、受信側携帯電話２００には、図３に示す転送要求送信部２６０と、メディア受信部２７０と、表示部２８０とが設けられ、転送機器Ａ４１０および転送機器Ａ４２０には、図５に示すように、メディア配信部４１５が設けられている。
【００８１】
ここで、転送要求送信部２６０は、転送信号を受信状態から非受信状態に遷移させることによって、受信側携帯電話２００に転送要求信号を送信する。メディア受信部２７０は、転送機器Ａ４１０から配信されるメディアを受信する。表示部２８０は、受信したメディアを表示手段に表示する。また、転送機器Ａ４１０および転送機器Ａ４２０は、受信側携帯電話２００から転送要求信号を受信したときに、先に配信されたメディアを受信側携帯電話２００に配信する。
【００８２】
＜変形例の処理＞
図８を用いて、本変形例の処理について説明する。
まず、受信側携帯電話２００のユーザが、転送機器Ａ４１０に向けた受信側携帯電話２００を転送機器Ａ４１０から遠ざけるような動作を行う（ステップＳ３０１）。これにより、転送機器Ａ４１０に対する転送信号を受信状態から非受信状態に遷移させる。
【００８３】
次に、受信側携帯電話２００がアプリケーションサーバ３００にメディア転送要求信号を送信すると（ステップＳ３０２）、受信側携帯電話２００と転送機器Ａ４１０の間にメディアセッションが確立する（ステップＳ３０３）。
【００８４】
すると、アプリケーションサーバ３００は、転送機器Ａ４１０にメディア転送要求信号を送信すると（ステップＳ３０４）。メディア転送要求信号を受信した転送機器Ａ４１０は、受信側携帯電話２００に対して、メディアを配信し（ステップＳ３０５）、受信側携帯電話２００は配信されたメディアを表示し（ステップＳ３０６）、受信完了通知をアプリケーションサーバ３００に送信する（ステップＳ３０７）。
【００８５】
以上、説明したように、本実施形態によれば、メディア転送に際し、２台以上の転送可能なデバイスがあった場合、現存するＩＭＳプロトコルを用いて、転送先を設定しなくてはならないが、例えば、赤外線制御を活用することにより、直感的に、転送するデバイスを決定できる。また、上記の赤外線制御は転送するデバイスを指定することのみに用い、メディアの配信自体は、ＩＭＳプロトコルを利用し実現させる。これにより、赤外線通信等では時間がかかる転送デバイスに送信元クライアントを向け続けなければならない煩わしさがなくなり、転送したいデバイスに対してメディア転送を円滑に行うことができる。
【００８６】
なお、メディア転送制御システムの処理をコンピュータ読み取り可能な記録媒体に記録し、この記録媒体に記録されたプログラムを送信側携帯電話、受信側携帯電話、アプリケーションサーバ、マルチデバイスとしての転送機器Ａ４１０および転送機器Ｂ４２０に読み込ませ、実行することによって本発明のメディア転送制御システムを実現することができる。ここでいうコンピュータシステムとは、ＯＳや周辺装置等のハードウェアを含む。
【００８７】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００８８】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００８９】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００９０】
１００；送信側携帯電話
１１０；通信部
１２０；メディア配信部
２００；受信側携帯電話
２１０；受信部
２２０；格納部
２３０；転送信号送信部
２４０；転送要求受信部
２５０；配信部
２６０；転送要求送信部
２７０；メディア受信部
２８０；表示部
３００；アプリケーションサーバ
３１０；デバイス制御部
３２０；呼処理制御部
３３０；メディアセッション制御部
３４０；加入者データベース
４１０；転送機器Ａ
４１１；転送信号受信部
４１２；受信通知送信部
４１３；メディア受信部
４１４；表示部
４２０；転送機器Ｂ
【図１】
2012195915.tif 000003
【図２】
2012195915.tif 000004
【図３】
2012195915.tif 000005
【図４】
2012195915.tif 000006
【図５】
2012195915.tif 000007
【図６】
2012195915.tif 000008
【図７】
2012195915.tif 000009
【図８】
2012195915.tif 000010
【図９】
2012195915.tif 000011
【図１０】
2012195915.tif 000012
【図１１】
2012195915.tif 000013